(57)【要約】      （修正有）【課題】各種体型の着用者にフィットさせることのできるスタイルの背広原型を提供する。【解決手段】背中部分の背中心線から胸囲の長さの１／２に０．１７７±０．００５を乗じた長さだけ前方へ移動し、更に移動した点から移動長さの約１／４の長さだけ上方に垂直に移動して特定した点を左右肩後の仮想基点とし、前身頃前端縁から袖孔部の前端縁に至る長さの０．５６±０．０５倍の位置の垂直線と、左右肩前後基点からの絶対水平線との交点によって特定した点を左右肩前の仮想基点し、左右肩前後の仮想基点から一定の調整角度をもって袖孔の切欠前後端部と結んだ線を左右の前後肩稜線とし、前後肩稜線をそれぞれ接合縫製することにより構成した背広原型。【選択図】図１
2015120985.tif 000002
【特許請求の範囲】
【請求項１】
上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を左右肩後の仮想基点とし、前身頃前端縁から袖孔部の前端縁に至る長さの約０．５〜０．６倍の位置の垂直線と、左右肩後の仮想基点からの絶対水平線との交点によって特定した点を左右肩前の仮想基点し、後身頃の背中の背基点から左右肩前後の仮想基点までの間の湾曲状の首筋ラインの長さと背基点から首筋ラインの中途に特定した標準的な仮の基準地点までの長さとの差を求め、その差の数値を用いて首筋ラインの中途に特定した基準地点から着用者の身体の背側を通る地上面までの長さと、胸側を通る地上面までの長さとをそれぞれ修正することにより、正しい左右肩前後基点の位置を特定し、修正した正しい左右肩前基点、あるいは首筋ラインの中途の基準地点から一定の調整角度をもって袖孔の切欠前端部と結んだ線を左右の前肩稜線とし、修正した正しい左右肩後基点、あるいは首筋ラインの中途の基準地点からそれぞれの肩の傾斜角度をもって袖孔の切欠後端部と結んだ線を左右の後肩稜線とし、前肩稜線と後肩稜線とを接合縫製することにより構成したことを特徴とする背広原型。
【請求項２】
請求項１において、左右肩後基点を特定する際に背中心線から、胸囲の長さに対して適用する修正公式とは、胸囲の長さの約１／２に（０．１５〜０．２０）を乗じることを特徴とする背広原型。
【請求項３】
請求項１において、首回りの長さを特定する際に背中心線から、首周りの長さに対して適用する修正公式とは、首周りの長さに（１０〜１５）を加算し、その合計を（５〜７）で除することを特徴とする背広原型。
【請求項４】
着用者の後首まわりに沿って装着載置可能な弯曲フレーム１００ａと、
弯曲フレーム１００ａの左右端部に枢軸１０６を介して枢支した左右傾斜板１０４，１０５と、
弯曲フレーム１００ａの自由端部上に設定される左右肩前後基点（Ｎ，Ｍ）から地上面ＧＬまでの長さを測定可能な地上高計測装置と、を備え、
弯曲フレーム１００ａは、左半弯曲部１０１ａと右半弯曲部１０２ａとを別体とし、一方の弯曲部１０１ａ又は１０２ａ基端中に他方の弯曲部１０１ａ又は１０２ａを基端を差し込み自在な伸縮機構とし、
地上高計測装置は、左右肩前後基点（Ｎ，Ｍ）から背中側又は胸側下方に吊り下げられる上半部測定メジャー１２１と、
上半部測定メジャー１２１の下端に設けられ、赤外線を地上面ＧＬに照射し地上面ＧＬからの反射を受信する反射機能付垂錘１２２と、を有することを特徴とする背広原型用測定器。
【発明の詳細な説明】
【技術分野】
【０００１】
本発明は、背広原型及び背広原型用測定器に関する。
【背景技術】
【０００２】
従来、洋服の上着の仕立てについては、縫製用のパーツの裁断に工夫をこらして仕立てた洋服（上着）の着用が行いやすいようにしたり、着用状態での運動が行いやすいように工夫されている。
【０００３】
例えば、特許第４７７９０８５号発明では、衿部・左右袖部を一体的に裁断して形成した上パターンと、前身頃及び後身頃を一体的に裁断して形成した下パターンを基本として各パターンの衿部の接合ラインと左前身頃の接合ラインとを適当に接合して衣服を形成することにより、衣服の軽量化をはかり、かつ、着用者の動作を限定せず、動きやすく、かつ、作業性、安全性に優れた着心地のよい衣服を提供できるようにしている。
【０００４】
また、特許第４５３７５５３号発明では、前身頃と後身頃の上部に連接する腕部材を前腕部材、後腕部材、下腕部材に分けて袖を少なくとも３枚の部材で作り、各腕部材の形状を一定方向に湾曲したり、前身頃と後身頃に取付けられる側縁部とを鋭角に交差した状態として鋭角の交差部分が襠部となって縫製状態で運動に必要なゆとりを形成している。
このように裁断することによって袖部分を肘を軽く曲げて腕を斜め下前方に出した状態の曲線に近い立体形状を形成し、腕の前後左右の運動に対して着用感が良好な上着としている。
【先行技術文献】
【特許文献】
【０００５】
【特許文献１】特許第４７７９０８５号公報
【特許文献２】特許第４５３７５５３号公報
【発明の概要】
【発明が解決しようとする課題】
【０００６】
ところが、かかる縫製パターンや袖部分の分解パターンによる上着の縫製では、確かに着心地や、運動のしやすさにおいては優れているものの、背広やジャケット等の上着に関して最も重要視されるスタイルの点で難点を有している。
すなわち、着用状態での着用者の体型的諸条件、例えば身長や、背の前後傾（猫背、反身）や、左右の肩の上下バランス等の諸条件に合致し、着用者の体型的特徴にフィットする背広を縫製することができない。
【０００７】
また、一般の背広では、背広本体を背中部分の背中心線から左右に分けて形成した左半身パーツと右半身パーツを背中部分で縫い合わせて背広をつくるものである。そして、各半身パーツは前身頃と後見頃を組合わせて構成される。その際に、両肩幅間の長さや、丈の長さや、バストの長さや、ウエストの長さや、袖の長さ等を計測して標準的な着用者の体型に可及的に合致するような既製の左右半身パーツをつくり、或いは、複数に分類した体型毎の標準型背広のための左右半身パーツを製作し、或いは、特定の人からの注文により計測した数値を基にして特定着用者の体型に合致した仕立て仕用の左右半身パーツをつくり、これらの左右半身パーツを基にして背広を製作している。
【０００８】
しかし、このような背広の製作において計測する上半身の部位は、背丈やバストラインや肩幅や袖長さ等のように伝統的に古来より特定された部位に限定されていた。
【０００９】
このように、従来の背広仕立てにおいては、着用者の肩の傾斜や肩長さや背中の前傾、反身等のように最も体型にフィットするために必要な身体部位の計測を考慮するものではなく、かつ、かかる必須部位の計測結果と他の部位の計測結果との相関関係を考慮してパターンの裁断を行う技術もなかった。
【００１０】
そのため、着用者の種々の体型に最もフィットするような計測を行い、それをもとにしてパターンの裁断を行って背広を簡便に製作する技術が求められていた。
【００１１】
例えば、旧来の背広仕立の計測において、仮に着用者の体型の計測部位を増加させて細部にわたる計測を行ったとしても、その計測結果を左右半身パーツの各部位の裁断に実現するためには、もっとも体型にフィットする各計測間の相関関係が必要であり、かかる一定の相関関係考慮することなく単に計測の数値だけをもとにしてパターンの裁断を行ったとしても適確な背広原型は出来上がらない。
【００１２】
この発明では、着用者の体型の計測部位の基点となる地点を胸囲などの計測数値から仮決定した地点とし、これに体前後における地上高等を修正係数として加味し、その地点に着用者の種々の体型、特に人によってそれぞれ異なる反身、前屈（猫背）や肩線の角度、長さ等の変位の要素を更に加味して正しい計測部位の基点を割り出し、その正しい基点をもとにして体型の各部位の計測値を出し背広の縫製に反映させることによって、左右半身パーツを簡便にかつ、各種体型の着用者にフィットさせることのできるスタイルの背広原型を提供するものである。
【課題を解決するための手段】
【００１３】
この発明は、上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を左右肩後の仮想基点とし、前身頃前端縁から袖孔部の前端縁に至る長さの約０．５〜０．６倍の位置の垂直線と、左右肩後の仮想基点からの絶対水平線との交点によって特定した点を左右肩前の仮想基点し、後身頃の背中の背基点から左右肩前後の仮想基点までの間の湾曲状の首筋ラインの長さと背基点から首筋ラインの中途に特定した標準的な仮の基準地点までの長さとの差を求め、その差の数値を用いて首筋ラインの中途に特定した基準地点から着用者の身体の背側を通る地上面までの長さと、胸側を通る地上面までの長さとをそれぞれ修正することにより、正しい左右肩前後基点の位置を特定し、修正した正しい左右肩前基点、あるいは首筋ライン中途の基準地点から一定の調整角度をもって袖孔の切欠前端部と結んだ線を左右の前肩稜線とし、修正した正しい左右肩後基点、あるいは首筋ラインの中途の基準地点からそれぞれの肩の傾斜角度をもって袖孔の切欠後端部と結んだ線を左右の後肩稜線とし、前肩稜線と後肩稜線とを接合縫製することにより構成したことを特徴とする背広原型を提供するものである。
また、左右肩後基点を特定する際に背中心線から、胸囲の長さに対して適用する修正公式とは、胸囲の長さの約１／２に（０．１５〜０．２０）を乗じることを特徴とする背広原型を提供するものである。
また、首回りの長さを特定する際に背中心線から、首周りの長さに対して適用する修正公式とは、首周りの長さに（１０〜１５）を加算し、その合計を（５〜７）で除することを特徴とする背広原型を提供するものである。
さらに、着用者の後首まわりに沿って装着載置可能な弯曲フレーム１００ａと、
弯曲フレーム１００ａの左右端部に枢軸１０６を介して枢支した左右傾斜板１０４，１０５と、弯曲フレーム１００ａの自由端部上に設定される左右肩前後基点（Ｎ，Ｍ）から地上面ＧＬまでの長さを測定可能な地上高計測装置と、を備え、弯曲フレーム１００ａは、左半弯曲部１０１ａと右半弯曲部１０２ａとを別体とし、一方の弯曲部１０１ａ又は１０２ａ基端中に他方の弯曲部１０１ａ又は１０２ａを基端を差し込み自在な伸縮機構とし、地上高計測装置は、左右肩前後基点（Ｎ，Ｍ）から背中側又は胸側下方に吊り下げられる上半部測定メジャー１２１と、上半部測定メジャー１２１の下端に設けられ、赤外線を地上面ＧＬに照射し地上面ＧＬからの反射を受信する反射機能付垂錘１２２と、を有することを特徴とする背広原型用測定器である。
【００１４】
以上のように本発明の基本的考え方は、着用者の客観的数値となる胸囲あるいは首周りの長さを測定してそれに修正公式を適用し、背広原型の基となる型紙上に、客観的な背基点から一定の距離と場所に左右肩前後の仮想基点を設定する。この仮想基点の位置に、首筋ラインの長さと、首筋ラインの中途に特定した仮の基準地点から身体前後面を通過した地上面までの距離の要素とを加味することにより型紙上における仮の左右肩前後基点の位置を正しい位置に修正し、型紙上に正しい左右肩前後基点を設定する。この正しい左右肩前後基点をすべての寸法の原点として背広原型に必要な型紙の各点を設定していくことを基本的な考え方としている。
すなわち、背広原型を作成する際に、実際の着用者の胸囲などから計算した湾曲状の首筋ラインの計算上の数値や、首筋ライン中途部の標準的な仮の基準地点から身体前後面を通過した地上面までの距離の長さなどの各種要素を用いることを特徴としており、かかる手法により、着用者の身体的体型がいかに異なっても、常に背基点を中心として人体の肩の左右及び人体の肩前後がそれぞれ「やじろべえ」の均衡した姿勢となり、着心地の最良な背広原型を提供できるようにしたものである。
【発明の効果】
【００１５】
この発明によれば、通常の背広を作成するために必要とされる背広原型において、両肩部分に左右肩前後の仮想基点を一定の手法により特定し、この基点に着用者特有の体型を考慮して正しい基点を特定し、それを中心に肩傾斜や襟までの長さなどの背広に必要な各種寸法を算出し、背広原型、いわゆる型紙を作成するものであり、具体的には、左肩後の仮想基点の位置を、着用者の胸囲或は首回りの長さに一定の修正公式を適用することにより特定し、次いで、着用者の本来の背中心線上端とすべき背基点と左肩後の仮想基点との間の湾曲状の首筋ラインの長さによって、首筋ライン中途部の標準的な特定の仮地点から地上面までの胸側及び背中側を通る長さを増減修正して正しい左肩後基点を特定し、この正しい左肩後基点から正しい左肩前基点を特定し、なで肩やいかり型、猫背や反身などの着用者に固有の体型にフィットする服を制作することができると共に、かかる計測や背広の原型を表す型紙の制作も容易となり、人それぞれの体型に的確にフィットした背広原型を高度の熟練技を必要とせずに制作することができる効果がある。
【００１６】
かかる背広原型で制作した背広衣服は着用者に体型に的確にフィットし、しかも活動しやすい肩となっているため、着用時に首後部近辺や肩の前後に不要な皺を生起することなく左右腕の動きになじんでスマートな背広の着用姿勢を提供することができる効果がある。
特に、首筋ラインに沿った背基点からの長さを基準にして左右肩前後基点を仮に特定し、その後地上面からの長さを測定してこの測定値を修正しながら正しい左右肩前後基点を特定し、この正しい左右肩前後基点を背広原型に必要な各種寸法の基準点としたため、背広の左右肩が背基点を中心として「やじろべえ」の原理を用いたバランスのとれた形態となり着用者のいかなる体型にもフィットすることができる効果がある。
【図面の簡単な説明】
【００１７】
【図１】本発明の背広原型の左半身パーツを示す展開図。
【図２】本発明の背広原型の右半身パーツを示す展開図。
【図３】本発明の背広原型の縫製後の立体的な側面図。
【図４】本発明の背広原型の縫製後の立体的な斜視図。
【図５】本発明の背広原型により制作した背広衣服の斜視図。
【図６】本発明の背広原型における左肩後基点の周辺を示す一部拡大図。
【図７】本発明の背広原型における左肩後基点の周辺を示す一部拡大図。
【図８】着用者の仮の左肩前後基点Ｎ，Ｍと地上面ＧＬとの長さの測定状態を示す説明図。
【図９】基点設定メジャーの説明図。
【図１０】高さ測定メジャーの説明図。
【図１１】着用者の首にループ状の基点設定メジャーを吊下した説明図。
【図１２】本発明の測定器の斜視図。
【図１３】本発明の測定器の平面図。
【図１４】本発明の測定器の平面図。
【図１５】本発明の測定器を使用した状態の説明図。
【図１６】本発明の測定器を使用した状態の説明図。
【図１７】本発明の測定器を使用した状態の説明図。
【図１８】本発明の測定器を使用した着用者の仮の左肩前後基点Ｎ，Ｍと地上面ＧＬとの長さの測定状態を示す説明図。
【図１９】着用者の胸幅や背幅の体型に合わせて左肩前後基点Ｎ，Ｍの位置を微調整する説明図。
【図２０】本発明の背広原型を作成するプロセスを示すステップ説明図
【発明を実施するための形態】
【００１８】
この発明は、上着本体を背中部分の背中心線より左右に分けて形成した左半身パーツ及び右半身パーツと、左右半身パーツの中央上部に上方を一部切欠して形成した略楕円形状の左右袖孔部と、左半身パーツ本体の前端縁部に形成した衿部と、袖孔部の前方の胸幅部と、袖孔部の下方の脇幅部と、袖孔部の後方の背幅部とにより構成し、左右袖孔部の一部切欠端部同志および各左右半身パーツの背縫線同志をそれぞれ接合縫製することにより形成する背広原型において、着用者の本来の背中心線上端とすべき背基点から、胸囲の長さあるいは首周りの長さに予め規定した修正公式を適用して算出した長さだけ前方へ移動し、更に移動した点から移動長さの約１／４の長さだけ上方に垂直に移動して特定した点を左右肩後の仮想基点とし、前身頃前端縁から袖孔部の前端縁に至る長さの約０．５〜０．６倍の位置の垂直線と、左右肩後の仮想基点からの絶対水平線との交点によって特定した点を左右肩前の仮想基点し、後身頃の背中の背基点から左右肩前後の仮想基点までの間の湾曲状の首筋ラインの長さと背基点から首筋ラインの中途に特定した標準的な仮の基準地点までの長さとの差を求め、その差の数値を用いて首筋ラインの中途に特定した基準地点から着用者の身体の背側を通る地上面までの長さと、胸側を通る地上面までの長さとをそれぞれ修正することにより、正しい左右肩前後基点の位置を特定し、修正した正しい左右肩前基点、あるいは首筋ラインの中途の基準地点から一定の調整角度をもって袖孔の切欠前端部と結んだ線を左右の前肩稜線とし、修正した正しい左右肩後基点、あるいは首筋ラインの中途の基準地点からそれぞれの肩の傾斜角度をもって袖孔の切欠後端部と結んだ線を左右の後肩稜線とし、前肩稜線と後肩稜線とを接合縫製することにより構成したことを特徴とする背広原型を提供するものである。
また、左右肩後基点を特定する際に背中心線から、胸囲の長さに対して適用する修正公式とは、胸囲の長さの約１／２に（０．１５〜０．２０）を乗じることを特徴とする背広原型を提供するものである。
また、首回りの長さを特定する際に背中心線から、首周りの長さに対して適用する修正公式とは、首周りの長さに（１０〜１５）を加算し、その合計を（５〜７）で除することを特徴とする背広原型を提供するものである。
さらに、着用者の後首まわりに沿って装着載置可能な弯曲フレーム１００ａと、  弯曲フレーム１００ａの左右端部に枢軸１０６を介して枢支した左右傾斜板１０４，１０５と、弯曲フレーム１００ａの自由端部上に設定される左右肩前後基点（Ｎ，Ｍ）から地上面ＧＬまでの長さを測定可能な地上高計測装置と、を備え、弯曲フレーム１００ａは、左半弯曲部１０１ａと右半弯曲部１０２ａとを別体とし、一方の弯曲部１０１ａ又は１０２ａ基端中に他方の弯曲部１０１ａ又は１０２ａを基端を差し込み自在な伸縮機構とし、地上高計測装置は、左右肩前後基点（Ｎ，Ｍ）から背中側又は胸側下方に吊り下げられる上半部測定メジャー１２１と、上半部測定メジャー１２１の下端に設けられ、赤外線を地上面ＧＬに照射し地上面ＧＬからの反射を受信する反射機能付垂錘１２２と、を有することを特徴とする。
【００１９】
本発明の背広原型Ｘの実施例は、図１及び図２に示すように、基本的には、上着本体１００を背中における着用者の本来の背中心線１０１´より左右に分けて形成した左半身パーツ１及び右半身パーツ２と、左右半身パーツ１，２の中央上部に上方を一部切欠して形成した略楕円形状の袖孔部３と、左半身パーツ１の前身頃前端縁部４を折り曲げ形成した衿部５と、袖孔部３の前方の胸幅部ｂ３と、袖孔部３の下方の脇幅部ｂ２と、袖孔部３の後方の背幅部ｂ１とにより構成し、袖孔部３の切欠端部Ｓ同志および各左右半身パーツ１，２の背中心線１０１同志をそれぞれ接合縫製することにより形成している。
【００２０】
そして、特にかかる左右半身パーツ１，２の肩の部分に、各種の測定数値を修正しながら正しい左右肩前基点Ｎと左右肩後基点Ｍをそれぞれ特定すると共に、左右肩前基点Ｎ、あるいは首筋ラインの中途の基準地点から肩の傾斜角度θをもって袖孔部３の切欠前端部３５と結んだ線を前肩稜線６とし、左右肩後基点Ｍ、あるいは首筋ラインの中途の基準地点から肩の傾斜角度θ´をもって袖孔部３の切欠後端部３６と結んだ線を後肩稜線７とする。
【００２１】
そして、背広原型Ｘを作成するに際しては前肩稜線６と後肩稜線７とを接合縫製することにより立体的な背広原型Ｘ（図４に示す）が完成する。
【００２２】
なお、左右半身パーツ１，２は基本的に前身頃イと後身頃ロとにより構成されており、図１に示す左半身パーツ１によって説明すると、袖孔部３の後縁部を境にして、その前方を前身頃とし、その後方を後身頃とし、実際の裁断時には前後身頃イ、ロはそれぞれ別々に裁断してその後所定線で縫合して一体とする。
【００２３】
前身頃イと後身頃ロとの縫合線としては、「前肩稜線６と後肩稜線７」及び「縫い代ｙ４」であり、これらの縫合により、前後身頃イ、ロが一体となり、左半身パーツ１が形成される。
【００２４】
以下は、本発明背広原型Ｘの構成中の左半身パーツ１に関する背広原型Ｘについて、型紙Ｕ作成の実施例を説明する。
【００２５】
（１）左肩後の仮想基点Ｍ´の特定（ステップＳ１,Ｓ２）
まず最初に左肩後の仮想基点Ｍ´の特定（ステップＳ１,Ｓ２）を行う。
左肩後の仮想基点Ｍ´は、背中部分の背中心線１０１上端に位置する点を背上端Ｏとし、胸囲の長さの１／２（＝Ｐ）に（０．１７７±０．００５）を乗じ更に０．１を乗じた長さだけ外方に移動した点を背基点Ｏ´とし、背基点Ｏ´から胸囲の長さの１／２Ｐに（０．１７７±０．００５）を乗じた長さＬ１だけ前方へ移動し、更に移動点ｍから移動長さの約１／４の長さＬ２だけ上方に垂直に移動して特定した点である（ステップＳ１,Ｓ２）。
なお、仮の型紙Ｕにおいて、左肩前の仮想基点Ｍ´を特定する計測方法を説明したが、このように着用者の胸囲の長さＰを基準とする以外にも着用者の首回りの長さＰＰを基準にする方法もある。
すなわち、首回りの長さＰＰに「１３」を加算し、その合計を６で除した数字をＬ１とし、Ｌ１のｍ点からＬ１の４分の１の長さＬ２だけ上方に垂直に移動して、特定した点を左肩後の仮想基点Ｍ´とすることもできる。
すなわち、Ｌ１＝（ＰＰ＋１３）÷６、Ｌ２＝Ｌ１×１／４とする（ステップＳ１,Ｓ２）。
【００２６】
左肩前の仮想基点Ｎ´は、前身頃前端縁部４から袖孔部３の前端縁の脇幅点Ｄに至る長さＬ３（Ｆ〜Ｄ）の（０．５６±０．０５）倍の位置の垂直点ｇの垂直線Ｇと、左右肩後の仮想基点Ｍ´からの絶対水平線ｖとの交点によって特定した点である。
【００２７】
以上、詳説したのは左半身パーツ１の各ラインに関するものであるが、右半身パーツ２についても全く同様であり、略左右対称に形成される（図２参照）。
【００２８】
（２）背基点Ｏ´の特定
背基点Ｏ´の位置は人体の骨格に対応させると、第７頚椎と第１胸椎の境の中央部分の点の位置とする。
【００２９】
この背基点Ｏ´を上記の人体骨格点に対応させ、この点を中心に肩の角度を測定し、実施例の左右肩後の仮想基点Ｍ´，Ｍ´、左右肩前の仮想基点Ｎ´，Ｎ´を決定し、後述する各種測定値や修正値により実際の正しい基点Ｍ,Ｎを決定して左右半身パーツ１，２をつくることにより、着用者が背広を着用して最も負担を感じない人それぞれの体型にフィットした背広原型ができるものである。
【００３０】
なお、第７頚椎とは、７個の椎骨のうちの１つであり、触感で後へ突出した長い棘突起により確認することができ、別称で隆椎とも言われている。この棘突起の下方に更に第１胸椎の棘突起が存在する。
【００３１】
頚部の動きによって上の棘突起（第７頚椎）は動くが、下の棘突起（第１胸椎）は不動である。
【００３２】
このように頚部の動きを行うことにより動く棘突起と動かない棘突起とを指で確認して、第７頚椎の位置と第１胸椎の位置を人体外部より特定することができる。
ここで、背中心線１０１の上端の背上端Ｏを用いるのではなく、着用者の本来の背中心線１０１´の背基点Ｏ´をすべての寸法の基点としたのは着用者が背広を着用した場合に、背中部分は左右湾曲面となっているため、湾曲面形成のためのゆとり部分を取る必要があり、そのため着用者本来の背基点Ｏ´をゆとり部分考慮の上で定めている。背上端Ｏと背基点Ｏ´との間は、Ｌ１×０．１（１／１０）の長さとする。
【００３３】
（３）正しい左肩前後基点Ｎ，Ｍの特定の方法
（ａ）上記の方法で決定した左右肩後の仮想基点Ｍ´，Ｍ´、左右肩前の仮想基点Ｎ´，Ｎ´の位置は、着用者が反身、屈身などの特殊な体型のない標準、模範的な体型における位置であり、従って、この位置に着用者の個々の体型に合致した修正を施し正しい左肩前後基点Ｎ，Ｍの特定を行わなければならない。
そこで、着用者にとって最も着心地良好な背広の各種寸法の基準となる本来の「正しい左右肩後基点Ｍと左右肩前基点Ｎ」を決定するために、本実施例では着用者の身体の測定を行い仮想基点Ｍ´，Ｍ´及び仮想基点Ｎ´，Ｎ´を決定し、同時に標準的な基点としての「仮の左右肩後基点Ｍと左右肩前基点Ｎ」を設定し、これらの各基点を基にして各種の修正や要因を付加して「正しい左右肩後基点Ｍと左右肩前基点Ｎ」を導くという方法を採用した。
そのために、基点設定メジャー３０と高さ測定メジャー４０との二種類の器具を準備する。
【００３４】
（ｂ）基点設定メジャー３０は、図９に示すようにループ状の紐体３１で構成し、ループ状の紐体３１を仮想二等分したループ状の紐体３１の中央位置には基点用重錘３２を介設し、紐体３１の仮想二等分した他方の点、すなわち、該重錘３２と正反対側に位置する地点を基準ポイントＫＰとしており、しかも、ループ状の紐体３１においては中央の一方の点、すなわち、基準ポイントＫＰを中心として左右にmm或はcm等の長さを示す表示目盛３３が表記されている。
【００３５】
高さ測定メジャー４０は、図１０に示すように長尺紐体４１の一端に高さ用重錘４２を連設し、該重錘４２の底面からの長さを示すために長尺紐体４１にmm或はcm等の長さを示す高さ表示目盛４３を表記している。
高さ用重錘４２は、後述するように地上面から仮の左右肩前後基点Ｎ，Ｍまでの長さを計測する際に長尺紐体４１の張力を生起し、正確な長さ寸法を取得するためのものであり、土木工事の測量に使用する落下重錘と同様の機能を果す。
高さ測定メジャー４０は、高さ用重錘４２を用いることにより長尺紐体４１の張力を利用して地上面（ＧＬ）から左右肩前後地点Ｎ，Ｍまでの長さを計測する器具であるが、後述するようにより簡便に、かつ正確に計測できるように電子機器を用いた地上高計測装置１２０を使用することができる。
【００３６】
上記のように構成された基点設定メジャー３０と高さ測定メジャー４０を用いた測定数値は、図１１、図８に示すように用いられて「仮の左右肩前後地点Ｎ，Ｍ」を基本として着用者の体型にフィットする「正しい左右肩後基点Ｍと左右肩前基点Ｎ」の位置に修正するために使用されるものであり、そして最終的に左右肩後基点Ｍと左右肩前基点Ｎの正しい位置の型紙Ｕが作成される。
【００３７】
なお、基点設定メジャー３０や高さ測定メジャー４０で着用者の身体の測定を行う場合は、既着の背広は脱いでＹシャツＹａ着用の状態でメジャー測定を行う。この理は前述した測定器Ｚによる肩の線の傾斜を測定する場合や後述する地上高計測装置１２０を使用して左右肩前後基点Ｎ，Ｍから地上面ＧＬまでの距離を測定する場合も同様でありＹシャツＹａ着用状態で測定機器を使用する。
（ｃ）以下に、「仮の左右肩前後地点Ｎ，Ｍ」を基点設定メジャー３０や高さ測定メジャー４０を使用することにより着用者の特殊体型に合致した「正しい左右肩前後地点Ｎ，Ｍ」に修正する手順を説明する。
まず最初に、着用者の首にループ状の基点設定メジャー３０を吊下する。この際、基点用重錘３２が胸元に位置する状態とする。
この状態は、ループ状の紐体３１が首から胸元にかけて配置吊下された状態であり、いわば背広の衿の左右ラインをループ状の紐体３１の左右ライン３４，３４がなぞったＶ字形の紐体３１軌跡が形成されたことになる。
この状態において、紐体３１の背基点ポイントＧＰは、着用者の背基点Ｏ´の位置、すなわち骨格の第７頚椎と第１胸椎の境中央部の位置と一致している。
【００３８】
（ｄ）次いで、首に吊下した紐体３１において、この背基点Ｏ´に位置した背基点ポイントＧＰから左側方（ここでは左半身パーツ１作成のため）に向かって仮の基準寸法の９ｃｍの離隔位置を仮の仮の左右肩後基点Ｍ、左右肩前基点Ｎとして設定する（当然に左右肩後基点Ｍと左右肩前基点Ｎは、互いに一致した一点として仮に定められている）（ステップＳ４）。
なお、仮の基準寸法の９cmは、平均的な着用者の仮の標準寸法である。
【００３９】
（ｅ）そこで、着用者の左右肩後の仮想基点Ｍ´の仮位置を型紙Ｕ上で設定するために、段落番号［００２５］に記載の様に着用者の本来の背中心線１０１´の背基点Ｏ´から胸囲の長さの１／２Ｐを乗じた長さＬ１を算出し、その分だけ前方へ移動し、更に移動点ｍから移動長さの約１／４の長さＬ２だけ上方に垂直に移動し、その点を左右肩後の仮想基点Ｍ´とする。
【００４０】
すなわち、着用者の胸囲の長さの１／２Ｐを測定することにより必然的に左右肩後の仮想基点Ｍ´の位置は仮型紙上で特定されたことになり、これを基にして仮型紙上で背基点Ｏ´と左右肩後の仮想基点Ｍ´間の湾曲線の首筋ラインＷＮの長さｒcm（換言すれば、着用者の首に吊下した基点設定メジャー３０における基準ポイントＫＰから左側方向へ移動する正しい仮想基点Ｍ´の位置までの長さ）を算出する（ステップＳ３）。
この首筋ラインＷＮの長さｒcmの位置が着用者に対する実測による左右肩後の仮想基点Ｍ´及び左右肩前の仮想基点Ｎ´の位置である。
この基点Ｍ´，基点Ｎ´の位置は反身や猫背のない理想的な直立不動の標準体型を有する着用者の場合の計算上の位置であるため、着用者の体型の特殊性によりこの基点Ｍ´，基点Ｎ´の位置を着用者本人に適合した正しい左右肩前後基点Ｎ，Ｍに修正する作業を行わねばならない。この修正作業を以下に説明する。
【００４１】
ここで重要なことは、着用者の体型のどの地点が着用者の特殊性を考慮した正しい左右肩前後基点Ｎ，Ｍであるかを決定しこれを型紙に現出するためにループ状の紐体３１における仮の基準寸法９cmの位置を「仮の左肩前後基点Ｎ，Ｍ」としてこれを、仮の型紙Ｕにおける仮の左肩前後基点Ｎ，Ｍの位置としたことである（ステップＳ４）。
【００４２】
すなわち、型紙Ｕにおいて、左肩後の仮想基点Ｍ´の位置を、段落番号［００２５］で説明したように、背基点Ｏ´から、実測した着用者の胸囲の長さの１／２Ｐに（０．１７７±０．００５）を乗じた長さＬ１だけ前方へ移動し、更に、移動点ｍから移動長さの約１／４の長さＬ２だけ上方に垂直に移動した点、あるいは、首周りから測定して特定した点として仮決定している。特に背基点Ｏ´と左肩後の仮想基点Ｍ´との間を結んだ曲線を首筋ラインＷＮとした場合、この湾曲線の首筋ラインＷＮは、首に吊下した基点設定メジャー３０の紐体３１の襟ラインと一致した形状となるため、とりあえず、背基点Ｏ´から首筋ラインＷＮの仮の基準寸法９cmの位置を着用者の左肩における仮の左肩後基点Ｍの位置とした（ステップＳ４）。
【００４３】
他方、型紙Ｕにおける計算上の首筋ラインＷＮの長さｒcmは、着用者の胸囲実測から上記の計算（段落番号［００２５］の計算）により導いた計算上の客観的な長さであり、従って本来、反身や猫背のない完全な標準的体型の着用者の場合には、この湾曲長さｒcmがループ状の紐体３１における背基点Ｏ´からの本来の正しい左肩後基点Ｍに至る長さであると言える。
【００４４】
しかし、当初、仮の左肩後基点Ｍを紐体３１の基準寸法９cmの位置に仮定したので当然に着用者の反身、猫背などの特殊性を考慮した位置とはなっておらず、従って着用者の本来の正しい左肩後基点Ｍの位置ではない。
従って、着用者の反身、猫背などの特殊性を考慮して着用者の体型のどの地点が正しい左肩前後基点Ｎ，Ｍであるかを決定する必要がある。
【００４５】
そこで、型紙Ｕ上で本来の正しい左肩後基点Ｍの位置を決定するために、紐体３１の基準寸法９cmの位置に設定した仮の左肩後基点Ｍの位置において地上面（ＧＬ）から着用者の背中側と胸面側で長さを測定する（ステップＳ６）。
【００４６】
地上面（ＧＬ）から仮の左右肩後基点Ｍ及び仮の左右肩前基点Ｎまでの長さを高さ測定メジャー４０により測定するが、これは次のようにして行われる。すなわち、地上面（ＧＬ）から仮の左右肩後基点Ｍまでの長さαは着用者の背中側（後側）において測定し、地上面（ＧＬ）から仮の左右肩前基点Ｎまでの長さβは着用者の胸面側（前側）において測定する（ステップＳ６）。
なお、高さ測定メジャー４０の代わりに前述の地上高計測装置１２０を用いて、地上面（ＧＬ）から仮の左右肩後基点Ｍまでの長さαと、仮の左右肩前基点Ｎまでの長さβを計測することができるものであり、地上高計測装置１２０の構造は次のように構成されている。
【００４７】
地上面（ＧＬ）から仮の左右肩後基点Ｍまでの長さαは、着用者の背中側（後側）に沿った長さを測定し、地上面（ＧＬ）から仮の左右方前基点Ｎまでの長さβは、着用者の胸面側（前側）に沿った長さを測定するものであるが、そのためには前述した着用者の肩の傾斜角度測定に用いる弯曲フレーム１００ａを利用する。
すなわち、測定器Ｚにより肩稜線の傾斜角度を測定するに際に弯曲フレーム１００ａを着用者の後首筋Ｋに定置し、弯曲フレーム１００ａの自由端部を、仮の左右肩前後基点（Ｎ，Ｍ）に合わせて定置して左右傾斜板１０４，１０５の搖動角度により肩稜線の角度を測定するものであるから、かかる弯曲フレーム１００ａの首筋装着状態において、弯曲フレーム１００ａの左右自由端部位置１００ａ´，１００ａ´´、すなわち仮の左右肩前後基点（Ｎ，Ｍ）位置から地上面（ＧＬ）までの背・胸部に沿った長さα,βを測定するために電子機器を用いた地上高計測装置１２０を用いることができる。
地上高計測装置１２０は、弯曲フレーム１００ａの左右自由端部に、上半部測定メジャー１２１の上端を連設し、該メジャー１２１の下端に反射機能付垂錘１２２を設けて構成している。
上半部測定メジャー１２１は着用者の背、胸部に沿うように可撓姓素材により構成し、かかる可撓性の上半部測定メジャー１２１は下端が略胸側或は背中側の途中に至る短尺の長さとしており、仮の左右肩前後基点（Ｎ，Ｍ）から下方に吊下される。
反射機能付垂錘１２２は垂錘ケース１２３下端面に赤外線や超音波等を反射する発信部１２４−１とこれらの反射を受信する受信部１２４−２とが設けられている。
従って、予め上半部測定メジャー１２１の長さを短尺に設定、例えば１ｍに設定しておけば、この該メジャー１２１を仮の左右肩前後基点（Ｎ，Ｍ）から着用者の胸部や背中部に沿って吊下しやすく、次いで該メジャー１２１の下端の反射機能付垂錘１２２から発信された赤外線等の地上面（ＧＬ）からの反射時間を測定することにより反射機能付垂錘１２２から地上面（ＧＬ）までの距離が測定されることになり、この距離に上半部測定メジャー１２１の１mの長さを加算した長さが、着用者の仮の左右肩前後基点（Ｎ，Ｍ）から着用者の胸側或は背中側に沿って地上面に至る長さα或はβということになる。
すなわち、短尺の上半部測定メジャー１２１により簡便にかつ、容易、正確に仮の左右肩前後基点（Ｎ，Ｍ）から着用者の胸側や背中側に沿った地上面（ＧＬ）までの長さを測定することができる。
【００４８】
ここで、着用者が前屈姿勢の体型（いわゆる猫背型）の場合は、ＧＬ〜Ｍ＞ＧＬ〜Ｎとなる。
ＧＬ〜Ｍ＝α、ＧＬ〜Ｎ＝βとすれば、αとβの差は、仮の標準寸法の９ｃｍで仮定した仮の左右肩後基点Ｍ、仮の左右肩前基点Ｎの位置修正（すなわち、正しい基点Ｍ、基点Ｎへの修正）の要因として用いる。
【００４９】
次いで、その差（αとβとの差）を求め、このαとβの差を仮の左肩前基点Ｍの位置修正に用いる（ステップＳ７）。
【００５０】
そのためには、予めステップＳ６のα，βの測定の先に仮の基準寸法９cmと計算上の首筋ラインＷＮの長さとの差（ＬＸ）（仮に首筋ラインＷＮの長さが８．５cmであるとすると９cm−８．５cm＝０．５cm）を求める（ステップＳ５）。
【００５１】
そしてこの０．５cmの差（ＬＸ）を仮の左肩後基点Ｍの位置（紐体３１の基準寸法９cmの位置）で測定したα,βの増減要因として用いる（ステップＳ７）。
【００５２】
すなわち、背中側の測定値であるから屈身の着用者の場合は、αに０．５cmのＬＸを加算し、βから０．５cmのＬＸを減算し、その結果、反身、猫背などの特殊性を有する着用者の実寸を基にした正しい左肩後基点Ｍ、左肩前基点Ｎの位置を決定することができる。
【００５３】
正しい左肩後基点Ｍが特定されれば、左肩前基点Ｎの位置特定は段落番号［００２６］に説明したように、前身頃前端縁部４から袖孔部３の前端縁の脇幅点Ｄに至る長さＬ３（Ｆ〜Ｄ）の（０．５６±０．０５）位の位置の垂直点ｇの垂直線Ｇと、すでに一特定が行われた左肩後基点Ｍからの絶対水平線ｖとの交点によって特定される。
【００５４】
従って、型紙Ｕでは、仮の左肩後基点Ｍの地上高（α）に修正を加えてその分だけ後身頃の上部が上方に伸長した形状或は体型により下方に短縮した形状となり、これと同様に仮の左肩前基点Ｎの地上高（α）に修正を加えて、修正分だけ前身頃イの上部が上下方に伸縮した形状となる。そこではじめて、正しい左肩前後基点Ｎ，Ｍが特定されたことになる。
【００５５】
なお肩の傾斜角度θ，θ´を出すためには、予め設定した基準寸法９cmの点の仮の基点Ｍ，Ｎから肩の傾斜角度を計測する。すなわち、左肩前基点Ｎから一定の調整角度、すなわち肩の傾斜角度θをもって袖孔部３の切欠前端部と結んだ線を左の前肩稜線６とし、左肩後基点Ｍから一定の調整角度、すなわち肩の傾斜角度θ´をもって袖孔部３の切欠後端部と結んだ線を左右の後肩稜線７としている（ステップＳ８）。
かかる肩の傾斜角度の測定時期は本実施例では図２０のステップＳ８のタイミングで説明したが、例えば図２０のステップＳ４とステップＳ５の間で測定しても良い。すなわち、基準寸法９cmの点を仮の基点Ｍ，Ｎとして設定した後に肩の傾斜角度θ,θ´を測定しても良い。
【００５６】
ここで、左肩前基点Ｎから一定の傾斜角度θの前肩稜線６と左肩後基点Ｍから一定の傾斜角度θ´の後肩稜線７は通常の標準角度では２３度の調整角度とするが、実際は着用者の肩の線を分度器等の測定器で計測することにより決定する。
【００５７】
ここで、図１２〜図１４に示すように、着用者の肩の線を分度器等の測定器で計測するに際しては、簡易に、かつ正確に計測できる測定器Ｚを発明者は考案した。
すなわち、図１２〜図１４に示すように、まず着用者の後首まわりに沿って装着載置可能な弯曲フレーム１００ａを設け、弯曲フレーム１００ａの両端１００ａ´，１００ａ´´は、仮特定した左肩後基点Ｍ及び左肩前基点Ｎの合致したＭ，Ｎ一致点の位置と、同じく仮特定した右肩後基点Ｍ及び右肩前基点Ｎの合致したＭ，Ｎ一致点の位置とにそれぞれ対応するように構成する。
左右のＭ，Ｎ点はその位置が着用者の骨格や肩幅等によって左右に変位するものであるため、弯曲フレーム１００ａは左右に伸縮自在の構造としており、例えば左半弯曲部１０１ａと右半弯曲部１０２ａとは別体とし、一方の弯曲部１０１ａ又は１０２ａ基端中に他方の弯曲部１０１ａ又は１０２ａを基端が差し込み自在な伸縮機構としている。
なお、弯曲フレーム１００ａの断面形状は、着用者の後首まわりに沿って載置可能なように下端面は図１４に示すＡ部側面視のようにやや傾斜変曲面ｗｘとして後首まわりに可及的に密着した形状とする。
また、弯曲フレーム１００ａの左右端部には肩稜線の傾斜角を測定するための左右傾斜板１０４，１０５を搖動自在に連設している。
すなわち、弯曲フレーム１００ａの左右端部に左右傾斜板１０４，１０５の基端を枢軸１０６を介して枢支している。
左右傾斜板１０４，１０５は枢軸１０６を中心として搖動するためにその搖動による絶対的な傾斜角を測定するために、枢軸１０６の部分に絶対水平位置からの傾斜角度を測定するための測定目盛１０７を付している。
なお、測定目盛１０７には水平レベラー（図示せず）を付設しており、水平レベラー１０３により絶対水平位置を検出するように構成し、この絶対水平位置から換算して傾斜角度を検知する。
また、左右傾斜板１０４，１０５の傾斜角を測定するためには、上記の測定目盛１０７のかわりにデジタル表示部を設け、左右傾斜板１０４，１０５の搖動を電気的に検知して傾斜角度をデジタル表示部に表示するように構成することもできる。この場合は、弯曲フレーム１００ａ内に電源部や制御部やレベラー機構を内蔵しておき、左右傾斜板１０４，１０５の搖動を電気的に検出し、左右傾斜板１０４，１０５の傾斜角度を表示するように構成するものである。
使用に際しては、図１５〜図１８に示すように、弯曲フレーム１００ａを着用者の後首筋Ｋに定置して、該フレーム１００ａの左右端部を左右肩後基点Ｍ，Ｍと左右肩前基点Ｎ，Ｎとの合致点に合わせて位置せしめ、次いで左右肩後基点Ｍ，Ｍと左右肩前基点Ｎ，Ｎの位置から左右肩稜線上に左右傾斜板１０４，１０５を載置し、枢軸１０６を中心として傾動する左右傾斜板１０４，１０５の傾斜角を測定目盛１０７や電気的検出方法により測定する。
【００５８】
（４）バストラインＢ、ウエストラインＷ，ヒップラインＨ、裾ラインＪについて
左半身パーツ１は、上端縁から一定の距離にバストラインＢ、ウエストラインＷ、ヒップラインＨ及び裾ラインＪを形成している。
【００５９】
バストラインＢは、着用者の本来の背中心線１０１´の背基点Ｏ´から、胸囲の長さの１／２Ｐに約０．４５を乗じた長さだけ下方に位置したバスト点Ｃからの横線にゆとりとして示している（Ｏ´〜Ｃ＝Ｐ×０．４５）。
ここで胸囲の長さの１／２Ｐは、実際の測定した胸囲の１／２Ｐ´に（６cm±２）cmを加算した数値である（Ｐ＝Ｐ´cm±（６cm±２））。
なお、Ｏ´〜Ｃの縦長さを背丈Ｋとする。
【００６０】
実際には、Ｏ´〜Ｃの背丈Ｋの線に横幅のゆとりｙ１を設けるため、胸囲の長さの１／２Ｐに約０．１５と約０．１を乗じた地点に背基点Ｏ´を背中心線１０１から拡幅している（Ｏ〜Ｏ´＝Ｐ×０．１５×０．１）。
【００６１】
同様にバストラインＢのバスト点Ｃからも２cmのゆとりｙ２を形成している。
バストラインＢのバスト点Ｃからゆとりｙ１をとったＣ´（バストゆとり点）から、胸囲の長さの１／２Ｐに約０．３８を乗じた長さの地点、すなわち袖孔部３の後端縁に至る点を背幅点Ｅとする（Ｃ´〜Ｅ＝Ｐ×約０．３８）。
【００６２】
なお、Ｃ´〜Ｅの横幅を背幅部ｂ１とする。
バストラインＢにおける袖孔部３の後端縁位置の背幅点Ｅから胸囲の長さの１／２Ｐに約０．２５を乗じた長さの点、すなわち袖孔部３の前端縁に至る点を脇幅点Ｄとし、Ｄ〜Ｅの横幅を脇幅部ｂ２とする。
【００６３】
なお、Ｅ〜Ｄには、前身頃と後身頃との接合部分の縫い代ｙ４の幅員（５ｍｍ）及び前身頃の袖孔部３下方の脇ダーツｙ３の幅員（１５mm）を含む（Ｅ〜Ｄ＝Ｐ×０．２５＋２０mm）。
【００６４】
上着本体１００の前身頃イの前端縁のボタン位置をボタン点Ｆとし、胸囲の長さの１／２Ｐに約０．３７を乗じた長さがＤ〜Ｆの横幅となり、これを胸幅部ｂ３とする（Ｄ〜Ｆ＝Ｐ×約０．３７）。
バストラインＢにおいて、Ｄ〜Ｆの中間でＤ〜Ｆの長さに約０．５６を乗じた長さの点を垂直点ｇとし、垂直点ｇの垂直線Ｇ上端が左肩前基点Ｎとなる。
【００６５】
ウエストラインＷは、バストラインＢとヒップラインＨとの中間点、すなわち、（Ｂ〜Ｈ）×１／２のウエスト点Ｉの横線である。ヒップラインＨは、着丈、すなわち背基点Ｏ´から裾ラインＪまでの長さに約０．１８４を乗じた長さのヒップＱ点における横線である。
【００６６】
なお、図中、ｙ５は、衿下方のゆとりを示す前ダーツである。
また、Ｒは、胸ポケットを示す。
５´は、衿部５の上端部に連設して縫合した首衿部であり、前後肩稜線６，７以外の背幅部ｂ１の上端部（５”）に連設縫合される。
【００６７】
また、裾ラインＪは、前身頃の裾ラインＪ１を約１．５cm前下りとし、着用時に裾ラインＪが全体的に水平に見えて背広全体の見栄えを良好とする。
左右半身パーツ１，２を縫合して背広原型Ｘを製作する場合、好みで着用者の体形にピッタリとフィットするように構成するか、ゆったりと構成するかは、胸囲の長さＰの数値で調整する。
【００６８】
すなわち、上記実施例では、Ｐ＝Ｐ´＋（６±２）として説明したが、（Ｐ＝Ｐ´＋４）から（Ｐ＝Ｐ´＋９）の範囲で調整することができ、Ｐがこのように調整されると、Ｐに関係するＯ〜Ｃ、Ｏ〜Ｏ´、Ｃ´〜Ｅ、Ｅ〜Ｄ、Ｄ〜Ｆ、Ｍ、Ｎの数値や位置が変化していく。
【００６９】
（５）寸法表（ステップＳ９）
実際に左半身パーツ１を作成するためには、着用者の体型の寸法の測定を行わねばならない。
図７に示すのは、測定寸法の記入用の寸法表１０であり、次のような欄が設けられている。すなわち、
測定日時欄１１、着用者の名前欄１２、反身か屈身かの区別とその寸法を記載する体型欄１３、
左右肩前基点Ｎからの肩の傾斜角度を記入する欄１４、左右肩後基点Ｍからの肩の傾斜角度を記入する欄１５、
左右肩前基点Ｎからの傾斜角度と左右肩後基点Ｍからの傾斜角度との和に１／２を乗じた平均角度を記入する欄１６、
左右肩前基点Ｎを特定するために（Ｆ〜Ｄ）の長さＬと（０．５６±０．０５）を乗じた数字を記入するＮ点寸法欄１７、
左右肩後基点Ｍを特定するために胸囲の長さＰの１／２に（０．１７７±０．００５）を乗じた数字Ｌ１およびＬ１に１／４を乗じた数字Ｌ２を記入するためのＭ点寸法欄１８、
背基点Ｏ´から胸囲の長さの１／２Ｐに０．４５を乗じた長さだけ下方に位置したＣまでの長さを記入する背丈寸法欄１９、
実際の胸囲Ｐ´にゆとりとしての余裕寸法を加算した数値を記入する胸囲寸法欄２０、
実際に測定したバストラインＢにおける胸幅部ｂ３の寸法を記入する胸幅欄２１、
バストラインＢにおける脇幅部ｂ２の寸法を記入する脇幅欄２２、
バストラインＢにおける背幅部ｂ１の寸法を記入する背幅欄２３、
ウエストラインＷにおける寸法を記入するウエスト寸法欄２４、
ウエストラインＷにおける前身頃イの幅寸法を記入するウエスト前幅欄２５、
ウエストラインＷにおける後身頃ロの幅寸法を記入するウエスト後幅欄２６、
実際に測定したヒップラインＨにおける寸法を記入するヒップ前幅欄２７、
ヒップラインＨにおける前身頃イの幅を記入するヒップ前幅欄２８、
ヒップラインＨにおける後身頃ロの幅を記入するヒップ後幅欄２９
等の各欄が寸法表１０に設けられている。
【００７０】
（６）正しい左肩前後基点Ｎ，Ｍの特定方法の他の実施例
以上、実測による数値を基にした左肩前後基点Ｎ，Ｍの正しい位置決定の手順を説明したが、簡略化した他の実施例もある。
すなわち、段落番号［００２５］で説明したように型紙Ｕにおいて、胸囲の実測により左肩後の仮想基点Ｍ´の仮位置が特定されているので、背基点Ｏ´と左肩後の仮想基点Ｍ´とを結ぶ湾曲の首筋ラインＷＮの長さｒcmも計算上特定される。首筋ラインＷＮの長さｒcmを客観的に決定したら、次いで基点設定メジャー３０を首に吊下し、基準ポイントＫＰから左側の首筋ラインＷＮの長さｒcmの位置をとれば、反身、猫背などのない模範的な標準体型の着用者においてはこれが必然的に着用者の身体における正しい左肩後基点Ｍ（Ｎ）の位置となる。
【００７１】
この正しい左肩後基点Ｍの位置を型紙Ｕに反映するためには、高さ測定メジャー４０により、地上面（ＧＬ）からの背中側及び胸面側の長さを計測して、α,βを出す。
次いで、図１に示すように型紙Ｕにおいては、背基点Ｏ´からの湾曲状の首筋ラインＷＮの縮尺長さの軌跡ｔ１と、地上面（ＧＬ）から左肩後基点Ｍまでの実測の縮尺長さの軌跡ｔ２との交点を型紙Ｕにおける左肩後基点Ｍの正しい位置とする。
【００７２】
この簡略化した手順は、着用者の背基点Ｏ´の位置を客観的に決定することができることから、これに発明者の長年の仕立て実績による左肩後の仮想基点Ｍ´の位置算出方法（段落番号［００２５］参照）により左肩後の仮想基点Ｍ´を決定し、これに更に基点設定メジャー３０によって測定したα，βの数値に、着用者の本来の身体上における正しい左肩後の仮想基点Ｍ´の位置情報を加味して、胸囲から算出した計算上の左肩後の仮想基点Ｍ´の位置を修正し、型紙Ｕ上に正しい左肩後基点Ｍを特定するものである。
【００７３】
（７）正しい型紙Ｕの作成
以上述べたのは、左半分の前身頃イと後身頃ロに関する正しい左肩前後基点Ｎ，Ｍの位置決定手順に関する説明であるが、同様にして右半分の前身頃イと後身頃ロに関しても右肩前後基点Ｎ，Ｍの正しい位置決定を行うことができる。
このように客観的な背基点Ｏ´位置を中心に左右肩前後基点Ｎ，Ｍの位置を算出してそれを基準にして最も着用者にフィットして動きやすい型紙Ｕを作成することができる（ステップＳ１０）。
【００７４】
背広全体としてみると、正しい左肩前後基点Ｎ，Ｍ、右肩前後基点Ｎ，Ｍが反身、屈身、いかり肩、なで肩等各種の体型に合致した最適位置に決定されるために左右両肩部分が背基点Ｏ´を中心に左右釣り合った「やじろべえ」（スイング作用）のバランスをとることができ、外観的な見た目も、また着用者の活動に関してもスマートで無理のない背広を提供することができる。
【００７５】
すなわち、「やじろべえ」は、中心点を設定して左右の重さで釣り合いがとれるように構成しており、中心点をバランス点として左右揺動しながらも左右のいずれにも傾斜転倒しないバランスを保持する。
背広は、左右肩前後基点Ｎ，Ｍからの肩の傾斜角度θ、θ´と、地上面（ＧＬ）から左右肩前後基点Ｎ，Ｍまでの背中側の長さα及び地上面（ＧＬ）から左右前後基点Ｎ，Ｍまでの胸側の長さβとが、それぞれ背広着用者の体型に合致したときに背基点Ｏ´を中心とした「やじろべえ」と同じ左右バランス機能が生じる。そして、外観的にも着心地的にも最も着用者にフィットした背広となる（ステップＳ１１，１２）。
【００７６】
また、上記した寸法採取により左右肩前後基点Ｎ，Ｍを設定してこの左右肩前後基点Ｎ，Ｍを基準として各種の寸法調整をすることにより各種体型に適合した型紙の作成し、着心地の良い背広を作成することができる。しかし、上記した左右肩前後基点Ｎ，Ｍ設定に基づき猫背、反身等に合致した体型の型紙は作成できるが、特定の特殊体型の着用者には適合できない部分がある。
【００７７】
すなわち、着用者の背中部分や胸部分の幅員や隆起の大小がある場合、換言すれば、胸の張った人や胸の縮こまった人の場合には、必然的に前身頃イと後身頃ロの幅員が標準寸法の着用者のそれと異なることに注目しなければならない。
【００７８】
そこで、着用者の胸幅や背幅の体型に合わせて左右肩前後基点Ｎ，Ｍの位置を微調整するものであり、前身頃イ、後身頃ロの長さが同じ状態でも左右肩前後基点Ｎ，Ｍを平行移動すれば前身頃イ、後身頃ロに上下運動が生起する。
すなわち、図１９に示す型紙の寸法図において左右肩前後基点Ｎ，Ｍをεの長さ（例えば５mm）だけ平行移動して微調整した新たな左右肩前後基点Ｎ−１，Ｍ−１とを基準点として各種の寸法を採取して型紙を作成する。
【００７９】
例えば、左右肩前基点Ｎを図１９に示すように左方向に５mm移動させ新たな左右肩前基点Ｎ−１を基点とすると、前身頃イの面積はその分広くなり、前身頃イに上方運動が生起する。
左右肩後基点Ｍを図１９に示すように右方向へ５mm移動させ新たな左右肩後基点Ｍ−１とすると、後身頃ロの面積はその分広くなり、前身頃イに上方運動が生起する。
また、左右肩前基点Ｎを図１９に示すように右方向に５mm移動させ新たな左右肩前基点Ｎ−１とすると、前身頃イの面積はその分狭くなり前身頃イに下方運動が生起する。
左右肩後基点Ｍを図１９に示すように左方向へ５mm移動させ新たな左右肩後基点Ｍ−１とすると、後身頃ロの面積はその分狭くなり、後身頃ロに下方運動が生起する。
【００８０】
このように左右肩前後基点Ｎ，Ｍをεの長さだけ移動して微調整し、新たな左右肩前後基点Ｎ−１，Ｍ−１を基準点とすることにより胸幅、背中幅の調整を行うことで上下運動が起き「やじろべえ」（スイング作用）で重要な背基点Ｏ´を定めることができ、更に体型にフィットした着心地のよい背広を提供することができる。
なお、この「やじろべえ」（スイング作用）は肩の左右方のみならず、肩の前後方にも生起するものであり、肩を中心に左右横方向、前後方向で背基点Ｏ´を中心のスイング作用の状態で背広原型を仕立てるため、着用者の体型にフィットした着心地のよい背広とすることができる。
【符号の説明】
【００８１】
１００  上着本体
１０１  背中心線
１０１´  本来の背中心線
１  左半身パーツ
２  右半身パーツ
３  袖孔部
３５  切欠前端部
３６  切欠後端部
４  前身頃前端縁部
５  衿部
６  前肩稜線
７  後肩稜線
１０  寸法表
Ｕ  型紙
ｂ１  背幅部
ｂ２  脇幅部
ｂ３  胸幅部
Ｎ´，Ｎ´  左右肩前の仮想基点
Ｍ´，Ｍ´  左右肩後の仮想基点
Ｎ，Ｎ  左右肩前基点
Ｍ，Ｍ  左右肩後基点
Ｐ  胸囲の長さの１／２
Ｏ  背上端
Ｏ´  背基点
Ａ  背広原型
ｍ  移動点
ｇ  垂直点
ｒ  湾曲長さ
ＧＬ  地上面
θ  前傾斜角度
θ´  後傾斜角度
ｖ  絶対水平線
Ｓ  切欠
３０  基点設定メジャー
３１  ループ状紐体
３２  重錘
ＫＰ  基準ポイント
３３  表示目盛
ＧＰ  背基点ポイント
４０  高さ測定メジャー
４１  長尺紐体
４２  高さ用重錘
４３  表示目盛
ＷＮ  首筋ライン
α  地上面ＧＬから左右肩後基点Ｍまでの長さ
β  地上面ＧＬから左右肩前基点Ｎまでの長さ
【図１】
2015120985.tif 000003
【図２】
2015120985.tif 000004
【図３】
2015120985.tif 000005
【図４】
2015120985.tif 000006
【図５】
2015120985.tif 000007
【図６】
2015120985.tif 000008
【図７】
2015120985.tif 000009
【図８】
2015120985.tif 000010
【図９】
2015120985.tif 000011
【図１０】
2015120985.tif 000012
【図１１】
2015120985.tif 000013
【図１２】
2015120985.tif 000014
【図１３】
2015120985.tif 000015
【図１４】
2015120985.tif 000016
【図１５】
2015120985.tif 000017
【図１６】
2015120985.tif 000018
【図１７】
2015120985.tif 000019
【図１８】
2015120985.tif 000020
【図１９】
2015120985.tif 000021
【図２０】
2015120985.tif 000022